(57)【要約】【課題】予め規格で規定されているデータ記録形式でデータを記録する情報記録媒体に他のデータ記録形式でデータを再生可能に記録できるようにする。【解決手段】コントローラ１１は、Ｓ４でＤＶＤ＋ＲＷディスクと判断し、Ｓ５で予め選択されたモードがダミーモードと判断したら、Ｓ６で挿入されている光ディスクをＤＶＤ＋Ｒディスクとみなして認識し、Ｓ７でＤＶＤ＋Ｒディスクのデータ記録形式のディスクと報告し、Ｓ８でＤＶＤ＋ＲＷディスクにＤＶＤ＋Ｒディスクのデータ記録形式（例えば、シーケンシャルライト方式，マルチセッションライト方式）でデータとＤＶＤ＋Ｒディスクの管理情報とを記録する。【選択図】　　　図１３
2004022069.tif 000002
【特許請求の範囲】
【請求項１】
書き換え可能な情報記録媒体に、予め規格として規定された書き換え可能な情報記録媒体に対するデータ記録形式でデータと書き換え可能な情報記録媒体の管理情報とを記録する手段を備えた情報記録装置において、
前記書き換え可能な情報記録媒体に、予め規格として規定された一度だけ書き込みが可能な情報記録媒体に対するデータ記録形式でデータと一度だけ書き込みが可能な情報記録媒体の管理情報とを記録する手段を設けたことを特徴とする情報記録装置。
【請求項２】
一度だけ書き込みが可能な情報記録媒体に、予め規格として規定された一度だけ書き込みが可能な情報記録媒体に対するデータ記録形式でデータと一度だけ書き込みが可能な情報記録媒体の管理情報とを記録する手段を備えた情報記録装置において、
前記一度だけ書き込みが可能な情報記録媒体に、予め規格として規定された書き換え可能な情報記録媒体に対するデータ記録形式でデータと書き換え可能な情報記録媒体の管理情報とを記録する手段を設けたことを特徴とする情報記録装置。
【請求項３】
請求項１又は２記載の情報記録装置において、
前記一度だけ書き込みが可能な情報記録媒体がＤＶＤ＋Ｒディスクであり、前記書き換え可能な情報記録媒体がＤＶＤ＋ＲＷディスクであることを特徴とする情報記録装置。
【請求項４】
請求項１又は２記載の情報記録装置において、
前記一度だけ書き込みが可能な情報記録媒体の管理情報が予め規格として規定されたセッションディスクコントロールブロックであり、前記書き換え可能な情報記録媒体の管理情報が予め規格として規定されたフォーマッティングディスクコントロールブロックであることを特徴とする情報記録装置。
【請求項５】
請求項１乃至４のいずれか一項に記載の情報記録装置において、
前記情報記録媒体に記録された管理情報に基づいて前記情報記録媒体の種類を報告する報告手段を設けたことを特徴とする情報記録装置。
【請求項６】
請求項１乃至４のいずれか一項に記載の情報記録装置において、
前記情報記録媒体に、前記予め規格として規定された一度だけ書き込みが可能な情報記録媒体に対するデータ記録形式で記録するか、前記予め規格として規定された書き換え可能な情報記録媒体に対するデータ記録形式で記録するかのいずれか一方を選択する選択手段を設けたことを特徴とする情報記録装置。
【請求項７】
請求項１乃至４のいずれか一項に記載の情報記録装置において、
前記選択手段による選択結果に基づいて前記情報記録媒体の種類を報告する報告手段を設けたことを特徴とする情報記録装置。
【請求項８】
請求項６又は７記載の情報記録装置において、
前記選択手段が、外部入力の指示に基づいて前記情報記録媒体に予め規格として規定された一度だけ書き込みが可能な情報記録媒体に対するデータ記録形式で記録するか、前記予め規格として規定された書き換え可能な情報記録媒体に対するデータ記録形式で記録するかのいずれか一方を選択する手段であることを特徴とする情報記録装置。
【請求項９】
請求項６乃至８のいずれか一項に記載の情報記録装置において、
前記選択手段による選択結果を保持する保持手段を設けたことを特徴とする情報記録装置。
【請求項１０】
書き換え可能な情報記録媒体に、予め規格として規定された書き換え可能な情報記録媒体に対するデータ記録形式でデータと書き換え可能な情報記録媒体の管理情報とを記録する情報記録方法において、
前記書き換え可能な情報記録媒体に、予め規格として規定された一度だけ書き込みが可能な情報記録媒体に対するデータ記録形式でデータと一度だけ書き込みが可能な情報記録媒体の管理情報とを記録することを特徴とする情報記録方法。
【請求項１１】
コンピュータに、書き換え可能な情報記録媒体に予め規格として規定された書き換え可能な情報記録媒体に対するデータ記録形式でデータと書き換え可能な情報記録媒体の管理情報とを記録する手順と、前記書き換え可能な情報記録媒体に予め規格として規定された一度だけ書き込みが可能な情報記録媒体に対するデータ記録形式でデータと一度だけ書き込みが可能な情報記録媒体の管理情報とを記録する手順とを実行させるためのプログラム。
【請求項１２】
コンピュータに、書き換え可能な情報記録媒体に予め規格として規定された書き換え可能な情報記録媒体に対するデータ記録形式でデータと書き換え可能な情報記録媒体の管理情報とを記録する手順と、前記書き換え可能な情報記録媒体に予め規格として規定された一度だけ書き込みが可能な情報記録媒体に対するデータ記録形式でデータと一度だけ書き込みが可能な情報記録媒体の管理情報とを記録する手順とを実行させるためのプログラムを記録したコンピュータ読み取り可能な記録媒体。
【請求項１３】
ホストコンピュータと、該ホストコンピュータからの指示に基づいて書き換え可能な情報記録媒体に予め規格として規定された書き換え可能な情報記録媒体に対するデータ記録形式でデータと書き換え可能な情報記録媒体の管理情報とを記録する情報記録装置とからなる情報記録システムにおいて、前記書き換え可能な情報記録媒体に、予め規格として規定された一度だけ書き込みが可能な情報記録媒体に対するデータ記録形式でデータと一度だけ書き込みが可能な情報記録媒体の管理情報とを記録する手段を設けたことを特徴とする情報記録システム。
【発明の詳細な説明】
【０００１】
【発明の属する技術分野】
この発明は、ＣＤ＋Ｒディスク等の一度だけ書き込みが可能な情報記録媒体，ＤＶＤ＋ＲＷディスク等の書き換え可能な情報記録媒体にデータを記録する情報記録装置と、その情報記録方法と、その情報記録手順をコンピュータに実行させるためのプログラムと、そのプログラムを記録したコンピュータ読み取り可能な記録媒体と、ホストコンピュータの指示に基づいて情報記録装置がＣＤ＋Ｒディスク等の一度だけ書き込みが可能な情報記録媒体，ＤＶＤ＋ＲＷディスク等の書き換え可能な情報記録媒体にデータを記録する情報記録システムとに関する。
【０００２】
【従来の技術】
多数回記録可能なリライタブル型の情報記録媒体（書き換え可能な情報記録媒体）には、ＣＤ−ＲＷディスクやＤＶＤ＋ＲＷディスク等がある。
また、１回のみ記録可能なライトワンス型の情報記録媒体（一度だけ書き込みが可能な情報記録媒体）にはＣＤ−ＲディスクやＤＶＤ＋Ｒディスク等がある。
ＣＤ−ＲディスクやＤＶＤ＋Ｒディスク等のライトワンス型の情報記憶媒体は、高パワーレーザ光でディスク上の記録膜に穴をあけることによってデータの記録を行う。
【０００３】
一方、ＣＤ−ＲＷディスクやＤＶ＋ＲＷディスク等のリライタブル型の情報記憶媒体は、相変化（Ｐｈａｓｅ　Ｃｈａｎｇｅ）と呼ばれる方法で結晶状態と非結晶状態の反射率の違いとしてデータの記録を行う。実際にデータ記録を行う場合に情報記録媒体の物理的特性の違いから、上記両者のライトストラテジも異なってくる。ライトストラテジとは、データを記録する際に出力するレーザの出力パターンのことであり、両者は同じデータを記録する場合でも、レーザの出力の強弱，時間などが異なってくる。両者は反射率の違いがあり、その特性上リライタブル型の情報記録媒体は、一般的なＣＤプレイヤー，ＤＶＤプレイヤー等の情報再生装置では再生できない場合がある。
しかし、現在ＣＤ−ＲＷディスクは、対応するプレイヤーが増えてきており、その問題もなくなりつつある。
【０００４】
一方、ＤＶＤ＋ＲＷディスク等のＤＶＤの書き換え規格はまだ世の中にそれほど普及していないため、６〜７割程度のプレイヤーでしか再生ができず、互換性に問題がある。
ライトワンス型の情報記録媒体であるＣＤ−ＲディスクやＤＶＤ＋Ｒディスク等は反射率が高く、一般のＣＤプレイヤーやＤＶＤプレイヤーでも、ほぼ１００％近く再生が可能である。
ところで、ＣＤ−ＲディスクとＣＤ−ＲＷディスク上に記録されるデータ記録形式は、オレンジブック（Ｏｒａｎｇｅ　Ｂｏｏｋ）と呼ばれる規格で規定されており、データ記録後はスタンプＣＤと再生互換があり、ＣＤプレイヤーなどで再生が可能である。
【０００５】
上記のような情報記録媒体に対するデータ記録形式にはいくつかの種類があり、その中で最もＣＤプレイヤーと互換性が高い方法はディスクアットワンス（「ＤＡＯ」と略称する）と呼ばれる記録形式である。
このＤＡＯは、リードイン（Ｌｅａｄ−Ｉｎ）領域，プログラム領域（Ｐｒｏｇｒａｍ　Ａｒｅａ），リードアウト（Ｌｅａｄ−ｏｕｔ）領域という領域を順番に一気に記録することにより、作成できるディスクでもっとも互換性が高く、スタンプＣＤと同じ構造にすることができる。
その他に、トラックと呼ばれる（最大９９個）単位で追記記録が可能なトラックアットワンス（「ＴＡＯ」と略称する）や、セッションと呼ばれる単位で記録可能なセッションアットワンス（「ＳＡＯ」と略称する）や、パケットと呼ばれる単位で記録するパケットライト（Ｐａｃｋｅｔ　Ｗｒｉｔｅ）などの記録形式がある。
【０００６】
ＣＤ−Ｒディスク，ＣＤ−ＲＷディスクでは両者のデータ記録形式は基本的に同じであり、実際にＣＤ−Ｒディスクにデータをバックアップする場合、とりあえずＣＤ−ＲＷディスクに試験的に記録を行い、成功すれば実際にＣＤ−Ｒディスクにデータを記録する手法が採られている。このようにすることにより、仮にデータ記録に失敗してもＣＤ−ＲＷディスクならば再利用が可能である。
上記のような特徴から、データ記録済みの情報記録媒体を配布する時などは、データ記録時に問題が起きても再利用が可能なリライタブル型の情報記録媒体で試し書きを行い、実際に配布する時には、ライトワンス型の情報記録媒体にデータを記録して配布するといった利用方法が多く採られている。
ＣＤでは、ライトワンス型の情報記録媒体であるＣＤ−Ｒディスクとリライタブル型のＣＤ−ＲＷディスクではデータ記録形式が同じであり、上記のような使用方法が可能である。
【０００７】
一方、ＤＶＤ＋Ｒディスク，ＤＶＤ＋ＲＷディスクは両者のデータ記録形式が異なる。ＤＶＤ＋ＲディスクはＣＤと異なり、データ記録形式にＴＡＯやＤＡＯといった区別がない。ＤＶＤ＋Ｒディスクではデータの記録をシーケンシャルに行う。このデータ記録形式はＤＶＤ−ＲＯＭディスクとの互換性を確保するため、ファイル情報を記録する部分を予約（リザーブ）し、セッションを閉じる（クローズ）時に、記録したファイル情報を予約した部分に書き込む。また、ＤＶＤ＋Ｒディスクはディスクの内周からシーケンシャル記録しかできないが、記録する部分を複数予約することにより、記録の順番を変更することができる。そして、トラック，セッションを追記記録できる、いわゆるマルチトラック，マルチセッション方式でデータを記録することが可能である。
【０００８】
ところが、ＤＶＤ＋ＲＷディスクは、１トラック，１セッションによるデータ記録形式が基本になる。ＤＶＤ＋ＲＷディスクはＤＶＤ＋Ｒディスクと異なり、データを記録する前にフォーマットという特定のデータをディスクの全面に記録する処理が必要であった。このフォーマット処理は非常に時間のかかる処理であり、使用者にとっては使い勝手の悪いものであったが、近年ＤＶＤ＋ＲＷディスクではディスク挿入時などにフォーマットの処理を必要最低限な場所までしかせず、使用者からのデータの記録，再生を可能にし、使用者からのアクセスがない時間に残りの未記録部分のフォーマット処理をドライブがバックグラウンドで処理を行うバックグラウンドフォーマット処理を行えるようになった。
【０００９】
したがって、使用者はフォーマット処理のための時間を費やすことなく、すぐにデータの記録，再生が可能になるし、バックグラウンドフォーマット処理中でも、すぐに情報記録媒体を取り出すことが可能である。
この場合、ＤＶＤ−ＲＯＭディスクでは、ある領域までデータが記録されていないと再生できないため、ＤＶＤ＋ＲＷディスクでは、取り出す際にすぐに取り出せる方法と、ＤＶＤ−ＲＯＭディスクとの互換性を重視し、ある領域までダミーデータで記録をしてから取り出す２種類の方法がある。
【００１０】
【発明が解決しようとする課題】
しかしながら、上述のようにライトワンス型の情報記録媒体であるＤＶＤ＋Ｒディスクとリライタブル型の情報記録媒体であるＤＶＤ＋ＲＷディスクとではデータ記録形式が異なるため、同一情報記録装置によって上記ＣＤ−ＲディスクとＣＤ−ＲＷディスクのような試験的，デバック的な使用方法が不可能であるという問題があった。したがって、情報記録媒体にかかわる研究，開発のように情報記録媒体を大量に消費する場合、ライトワンス型とリライタブル型のデータ記録形式が異なるためにＣＤような試験的、デバック的な使用方法ができずに、情報記録媒体を大量に消費するという問題が生じる。
この発明は上記の課題を解決するためになされたものであり、予め規格によって規定されているデータ記録形式でデータを記録する情報記録媒体に他のデータ記録形式でデータを再生可能に記録できるようにすることを目的とする。
【００１１】
【課題を解決するための手段】
この発明は上記の目的を達成するため、次の（１）〜（１３）の情報記録装置を提供する。
（１）書き換え可能な情報記録媒体に、予め規格として規定された書き換え可能な情報記録媒体に対するデータ記録形式でデータと書き換え可能な情報記録媒体の管理情報とを記録する手段を備えた情報記録装置において、上記書き換え可能な情報記録媒体に、予め規格として規定された一度だけ書き込みが可能な情報記録媒体に対するデータ記録形式でデータと一度だけ書き込みが可能な情報記録媒体の管理情報とを記録する手段を設けた情報記録装置。
【００１２】
（２）一度だけ書き込みが可能な情報記録媒体に、予め規格として規定された一度だけ書き込みが可能な情報記録媒体に対するデータ記録形式でデータと一度だけ書き込みが可能な情報記録媒体の管理情報とを記録する手段を備えた情報記録装置において、上記一度だけ書き込みが可能な情報記録媒体に、予め規格として規定された書き換え可能な情報記録媒体に対するデータ記録形式でデータと書き換え可能な情報記録媒体の管理情報とを記録する手段を設けた情報記録装置。
【００１３】
（３）（１）又は（２）の情報記録装置において、上記一度だけ書き込みが可能な情報記録媒体がＤＶＤ＋Ｒディスクであり、上記書き換え可能な情報記録媒体がＤＶＤ＋ＲＷディスクである情報記録装置。
（４）（１）又は（２）の情報記録装置において、上記一度だけ書き込みが可能な情報記録媒体の管理情報が予め規格として規定されたセッションディスクコントロールブロックであり、上記書き換え可能な情報記録媒体の管理情報が予め規格として規定されたフォーマッティングディスクコントロールブロックである情報記録装置。
（５）（１）乃至（４）のいずれかの情報記録装置において、上記情報記録媒体に記録された管理情報に基づいて上記情報記録媒体の種類を報告する報告手段を設けた情報記録装置。
【００１４】
（６）（１）乃至（４）のいずれかの情報記録装置において、上記情報記録媒体に、上記予め規格として規定された一度だけ書き込みが可能な情報記録媒体に対するデータ記録形式で記録するか、上記予め規格として規定された書き換え可能な情報記録媒体に対するデータ記録形式で記録するかのいずれか一方を選択する選択手段を設けた情報記録装置。
（７）（１）乃至（４）のいずれかの情報記録装置において、上記選択手段による選択結果に基づいて上記情報記録媒体の種類を報告する報告手段を設けた情報記録装置。
【００１５】
（８）（６）又は（７）の情報記録装置において、上記選択手段が、外部入力の指示に基づいて上記情報記録媒体に予め規格として規定された一度だけ書き込みが可能な情報記録媒体に対するデータ記録形式で記録するか、上記予め規格として規定された書き換え可能な情報記録媒体に対するデータ記録形式で記録するかのいずれか一方を選択する手段である情報記録装置。
（９）（６）乃至（８）のいずれかの情報記録装置において、上記選択手段による選択結果を保持する保持手段を設けた情報記録装置。
【００１６】
また、次の情報記録方法，プログラム，記録媒体，情報記録システムも提供する。
（１０）書き換え可能な情報記録媒体に、予め規格として規定された書き換え可能な情報記録媒体に対するデータ記録形式でデータと書き換え可能な情報記録媒体の管理情報とを記録する情報記録方法において、上記書き換え可能な情報記録媒体に、予め規格として規定された一度だけ書き込みが可能な情報記録媒体に対するデータ記録形式でデータと一度だけ書き込みが可能な情報記録媒体の管理情報とを記録する情報記録方法。
【００１７】
（１１）コンピュータに、書き換え可能な情報記録媒体に予め規格として規定された書き換え可能な情報記録媒体に対するデータ記録形式でデータと書き換え可能な情報記録媒体の管理情報とを記録する手順と、上記書き換え可能な情報記録媒体に予め規格として規定された一度だけ書き込みが可能な情報記録媒体に対するデータ記録形式でデータと一度だけ書き込みが可能な情報記録媒体の管理情報とを記録する手順とを実行させるためのプログラム。
【００１８】
（１２）コンピュータに、書き換え可能な情報記録媒体に予め規格として規定された書き換え可能な情報記録媒体に対するデータ記録形式でデータと書き換え可能な情報記録媒体の管理情報とを記録する手順と、上記書き換え可能な情報記録媒体に予め規格として規定された一度だけ書き込みが可能な情報記録媒体に対するデータ記録形式でデータと一度だけ書き込みが可能な情報記録媒体の管理情報とを記録する手順とを実行させるためのプログラムを記録したコンピュータ読み取り可能な記録媒体。
【００１９】
（１３）ホストコンピュータと、そのホストコンピュータからの指示に基づいて書き換え可能な情報記録媒体に予め規格として規定された書き換え可能な情報記録媒体に対するデータ記録形式でデータと書き換え可能な情報記録媒体の管理情報とを記録する情報記録装置とからなる情報記録システムにおいて、上記書き換え可能な情報記録媒体に、予め規格として規定された一度だけ書き込みが可能な情報記録媒体に対するデータ記録形式でデータと一度だけ書き込みが可能な情報記録媒体の管理情報とを記録する手段を設けた情報記録システム。
【００２０】
【発明の実施の形態】
以下、この発明の実施形態を図面に基づいて具体的に説明する。
図１は、この発明の一実施形態であるＤＶＤ＋Ｒ／＋ＲＷドライブシステムの構成を示すブロック図である。
このＤＶＤ＋Ｒ／＋ＲＷドライブシステムは、２〜１２の各部を備えたＤＶＤ＋Ｒ／＋ＲＷドライブ（情報記録再生装置）と、ホストコンピュータ１３とからなる。
【００２１】
ＤＶＤ＋Ｒ／＋ＲＷドライブシステムは、ＤＶＤ＋Ｒ／＋ＲＷドライブに装着されたＤＶＤ−Ｒディスク，ＤＶＤ−ＲＷディスク，ＤＶＤ−ＲＡＭディスク，ＤＶＤ−ＲＡＭＷＯディスク，ＤＶＤ＋Ｒディスク，ＤＶＤ＋ＲＷディスク等の光ディスクにデータを記録及びその記録されたデータを再生する。
ＤＶＤ＋Ｒ／＋ＲＷドライブは、光ディスク１を回転させるモータ２と、その回転を制御する回転制御系部３と、光ディスク１にデータ記録再生のためのレーザ光Ｌを照射する光ピックアップ４と、そのレーザ光Ｌの発光の制御を行う光ピックアップ制御系部５と、光ピックアップ４を光ディスク１の半径方向に移動させる粗動モータ６と、その回転駆動を制御する粗動モータ制御系部７と、光ピックアップ４への信号及び光ピックアップ４からの信号を制御する信号処理制御系部８と、ホストコンピュータ１３との間で信号のやり取りするためのＡＴＡＰＩ，ＳＣＳＩ，１ＥＥＥ１３９４、ＵＳＢ等の外部インタフェース１２と、このドライブ全体を制御するコントローラ１１を備えている。
【００２２】
また、コントローラ１１を動かすためのプログラムが記録されており、この他にも光ディスク１のディスクＩＤ，光ディスク１の所定位置のスタート（Ｓｔａｒｔ）アドレス情報，エンド（Ｅｎｄ）アドレス情報や記録時のレーザパワー等を記憶させておく領域である不揮発メモリ１０と、コントローラ１１がデータを一時的に記憶する領域として利用されるバッファメモリ９も備えている。
ホストコンピュータ１３は、ＣＰＵ，フラッシュＲＯＭ（ＦＲＯＭ）等のＲＯＭ，ＲＡＭ等からなるマイクロコンピュータを内蔵し、ＲＯＭに記録されたプログラムをＣＰＵが実行することによってＤＶＤ＋Ｒ／＋ＲＷドライブによる光ディスク１に対するデータの記録及び再生の制御を行う。
【００２３】
すなわち、上記不揮発性メモリ１０にコンピュータにこの発明に係る手順を実行させるためのプログラムをインストールし、コントローラ１１がそのプログラムを実行することによってこの発明に係る情報記録方法を行い、書き換え可能な情報記録媒体に、予め規格として規定された書き換え可能な情報記録媒体に対するデータ記録形式でデータと書き換え可能な情報記録媒体の管理情報とを記録する手段と、書き換え可能な情報記録媒体に、予め規格として規定された一度だけ書き込みが可能な情報記録媒体に対するデータ記録形式でデータと一度だけ書き込みが可能な情報記録媒体の管理情報とを記録する手段の機能を果たす。
【００２４】
また、一度だけ書き込みが可能な情報記録媒体に、予め規格として規定された一度だけ書き込みが可能な情報記録媒体に対するデータ記録形式でデータと一度だけ書き込みが可能な情報記録媒体の管理情報とを記録する手段と、一度だけ書き込みが可能な情報記録媒体に、予め規格として規定された書き換え可能な情報記録媒体に対するデータ記録形式でデータと書き換え可能な情報記録媒体の管理情報とを記録する手段の機能も果たす。
【００２５】
さらに、上記のような情報記録媒体に記録された管理情報に基づいてその情報記録媒体の種類を報告する報告手段と、上記のような情報記録媒体に、予め規格として規定された一度だけ書き込みが可能な情報記録媒体に対するデータ記録形式で記録するか、予め規格として規定された書き換え可能な情報記録媒体に対するデータ記録形式で記録するかのいずれか一方を選択する選択手段と、その選択手段による選択結果に基づいて上記情報記録媒体の種類を報告する報告手段も果たす。また、上記不揮発性メモリ１０が上記選択手段による選択結果を保持する保持手段の機能を果たす。
【００２６】
あるいは、上記ホストコンピュータ１３にこの発明に係る手順を実行させるためのプログラムをインストールし、ホストコンピュータ１３内のＣＰＵがそのプログラムを実行することによってこの発明に係る情報記録方法を行い、上記各部の機能を果たすようにしてもよい。その際、ホストコンピュータ１３は、外部入力の指示に基づいて上記のような情報記録媒体に予め規格として規定された一度だけ書き込みが可能な情報記録媒体に対するデータ記録形式で記録するか、予め規格として規定された書き換え可能な情報記録媒体に対するデータ記録形式で記録するかのいずれか一方を選択する選択手段と、その選択手段による選択結果を保持する保持手段の機能も果たす。
上記プログラムは、光ディスク，フレキシブルディスク，光磁気ディスク等の各種のコンピュータ読み取り可能な記録媒体に記憶して、その記録媒体を介してインストールすると良い。また、ネットワークと接続した場合はそのネットワーク上から上記プログラムをインストールすることもできる。
【００２７】
次に、ＤＶＤ＋Ｒディスクに予め規格として規定された一度だけ書き込みが可能な情報記録媒体に対するデータ記録形式で記録するときの管理情報のフォーマットと、ＤＶＤ＋ＲＷディスクに予め規格として規定された書き換え可能な情報記録媒体に対するデータ記録形式でデータを記録するときの管理情報のフォーマットについて説明する。
図２は、一度だけ書き込みが可能な情報記録媒体であるＤＶＤ＋Ｒディスクの管理情報のセッションディスクコントロールブロック（Ｓｅｓｓｉｏｎ　Ｄｉｓｃ　Ｃｏｎｔｒｏｌ　Ｂｌｏｃｋ：ＳＤＣＢ）のフォーマットを示す説明図である。図３は、図２に示したセッションアイテム（Ｓｅｓｓｉｏｎ　Ｉｔｅｍ）内のフラグメントアイテム（Ｆｒａｇｍｅｎｔ　Ｉｔｅｍ）のフォーマットを示す説明図である。図４は、図２に示したセッションアイテム（Ｓｅｓｓｉｏｎ　Ｉｔｅｍ）内のプレビィアスセッションアイテム（Ｐｒｅｖｉｏｕｓ　Ｓｅｓｓｉｏｎ　Ｉｔｅｍ）のフォーマットを示す説明図である。
【００２８】
ＳＤＣＢは、ＤＶＤ＋Ｒディスクの記録領域のリードイン（Ｌｅａｄ−Ｉｎ）領域と呼ばれる場所にあり、ＤＶＤ＋Ｒディスク上の全セッション情報，ドライブＩＤ（ＤＲＩＶＥ　ＩＤ）等の情報が記録されている。そのフォーマットは図２に示した通りである。このＳＤＣＢがＤＶＤ＋Ｒディスクにおける一度だけ書き込みが可能な情報記録媒体にデータを記録するときの管理情報に相当する。
ＳＤＣＢの内で特に重要なものが、セッションアイテム（図中、Ｓｅｓｓｉｏｎ　Ｉｔｅｍ　０〜Ｎ−１）である。このセッションアイテムにはさらにフラグメントアイテムとプレビィアスセッションアイテムがある。その各フォーマットは図３，図４にそれぞれ示した通りである。
それらには、フラグメント数，セッション数，開始アドレス，終了アドレス等が記録される。また、ＳＤＣＢは、その更新回数が１６回となっている。これは、ＤＶＤ＋Ｒディスクはライトワンス型であり、ＳＤＣＢを更新する領域が１６個分しか無いためである。
【００２９】
図５は、書き換え可能な情報記録媒体であるＤＶＤ＋ＲＷディスクの管理情報のフォーマッティングディスクコントロールブロック（Ｆｏｒｍａｔｔｉｎｇ　Ｄｉｓｃ　Ｃｏｎｔｒｏｌ　Ｂｌｏｃｋ：ＦＤＣＢ）のフォーマットを示す説明図である。
ＦＤＣＢは、上記ＳＤＣＢと同様に、ＤＶＤ＋ＲＷディスクの記録領域のリードイン（Ｌｅａｄ−Ｉｎ）領域と呼ばれる場所にあり、フォーマットの状態等が記録される。この中にはＤＶＤ＋Ｒ／＋ＲＷドライブや光ディスクのＩＤ，フォーマットの状態や最後に記録されたアドレス等の情報が記録される。このＦＤＣＢがＤＶＤ＋ＲＷディスクにおける書き換え可能な情報記録媒体にデータを記録するときの管理情報に相当する。
このＦＤＣＢは上記ＳＤＣＢとは異なり、何回でも更新することができる。これは、ＤＶＤ＋ＲＷディスクはリライタブル型であり、ＦＤＣＢを上書きできるからである。
【００３０】
次に、ＤＶＤ＋Ｒディスクに予め規格として規定された一度だけ書き込みが可能な情報記録媒体に対するデータ記録形式でデータを記録するときのフォーマットと、ＤＶＤ＋ＲＷディスクに予め規格として規定された書き換え可能な情報記録媒体に対するデータ記録形式でデータを記録するときのフォーマットの他の例について説明する。
図６は、一度だけ書き込みが可能な情報記録媒体であるＤＶＤ＋Ｒディスクの他のフォーマット例を示す説明図である。
図７乃至図９は、図６に示したリードイン領域内のコントロールデータゾーン（Ｃｏｎｔｒｏｌ　Ｄａｔａ　Ｚｏｎｅ）のフォーマットを示す説明図であり、図７のバイトナンバ（Ｂｙｔｅ　ｎｕｍｂｅｒ）３９の欄の次に図８のバイトナンバ４０の欄が続き、図８のバイトナンバ４９の欄の次に図９のバイトナンバ５０の欄が続いている。
【００３１】
ここで、図７のバイトナンバ０のディスクカテゴリアンドバージョンナンバ（Ｄｉｓｃ　Ｃａｔｅｇｏｒｙ　ａｎｄ　Ｖｅｒｓｉｏｎ　Ｎｕｍｂｅｒ）のｂ７〜ｂ４ビットにＤＶＤ＋Ｒディスクであることを示す識別情報「１０１０」が記録される。この識別情報がＤＶＤ＋Ｒディスクにおける一度だけ書き込みが可能な情報記録媒体にデータを記録するときの管理情報に相当する。
【００３２】
図１０は、書き換え可能な情報記録媒体であるＤＶＤ＋ＲＷディスクの他のフォーマット例を示す説明図である。
図１１及び図１２は、図１０に示したリードイン領域内のコントロールデータゾーン（Ｃｏｎｔｒｏｌ　Ｄａｔａ　Ｚｏｎｅ）のフォーマットを示す説明図であり、図１１のバイトナンバ（Ｂｙｔｅ　ｎｕｍｂｅｒ）３９の欄の次に図１２のバイトナンバ４０の欄が続いている。
ここで、図１１のバイトナンバ０のディスクカテゴリアンドバージョンナンバ（Ｄｉｓｃ　Ｃａｔｅｇｏｒｙ　ａｎｄ　Ｖｅｒｓｉｏｎ　Ｎｕｍｂｅｒ）のｂ７〜ｂ４ビットにＤＶＤ＋ＲＷディスクであることを示す識別情報「１００１」が記録される。この識別情報がＤＶＤ＋ＲＷディスクにおける書き換え可能な情報記録媒体にデータを記録するときの管理情報に相当する。
【００３３】
次に、このＤＶＤ＋Ｒ／＋ＲＷドライブシステムにおける光ディスクへのデータ記録処理について説明する。
図１３及び図１４は、図１に示したＤＶＤ＋Ｒ／＋ＲＷドライブシステムにおける光ディスクへのデータ記録処理を示すフローチャート図である。
コントローラ１１又はホストコンピュータ１３のＣＰＵは、図１３に示すように、ステップ（図中「Ｓ」で示す）１でダミーモードと通常モードの選択を受け付ける。このダミーモードとは、ＤＶＤ＋ＲＷディスクにＤＶＤ＋Ｒディスクのデータ記録形式で、ＤＶＤ＋ＲディスクにＤＶＤ＋ＲＷディスクのデータ記録形式でそれぞれデータ及び管理情報を記録させるモードであり、通常ライトモードとは、ＤＶＤ＋ＲＷディスクにそのままＤＶＤ＋ＲＷディスクのデータ記録形式で、ＤＶＤ＋ＲディスクにそのままＤＶＤ＋Ｒディスクのデータ記録形式でそれぞれデータ及び管理情報を記録させるモードである。
【００３４】
このモード選択は、ＤＶＤ＋Ｒ／＋ＲＷドライブに設けた選択ボタン（図示は省略）やホストコンピュータ１３からのコマンド（設定変更処理命令）指示によって選択され、その選択されたモードの情報を不揮発性メモリ１０に記憶して保存する。このようにすれば、電源が切られてもその情報を保持され、コントローラ１１が電源投入時に読み出して設定することができ、使用者が光ディスへのデータ記録のたびに設定作業をし直す必要がなくなる。
ステップ２でコントローラがホストコンピュータからのデータ書き込み（データ記録）要求を受け取ると、ステップ３でデータ記録対象の光ディスクが挿入されているか否かを判断し、挿入されていなければ、ステップ９で使用者又はホストコンピュータへ光ディスクの挿入を促す表示又は指示を出力して報告し、ステップ３の判断の処理へ戻る。
【００３５】
ステップ３の判断でデータ記録対象の光ディスクが挿入されていれば、ステップ４で光ディスクの種類はＤＶＤ＋ＲディスクかＤＶＤ＋ＲＷディスクかを判断する。この判断は挿入された光ディスク上の上述したような管理情報に基づいてコントローラ１１が判断すればよい。
ステップ４でＤＶＤ＋ＲＷディスクと判断したら、ステップ５で予め選択されたモードがダミーモードか通常ライトモードかを判断し、ダミーモードなら、ステップ６で挿入されている光ディスクをＤＶＤ＋Ｒディスクとみなして認識し、ステップ７で使用者又はホストコンピュータへＤＶＤ＋Ｒディスクのデータ記録形式のディスクであることを示す表示又は指示を出力して報告し、ステップ８でＤＶＤ＋ＲＷディスクにＤＶＤ＋Ｒディスクのデータ記録形式（例えば、シーケンシャルライト方式，マルチセッションライト方式）でデータとＤＶＤ＋Ｒディスクの上述した管理情報とを記録し、このデータ記録処理を終了する。
【００３６】
また、ステップ５で通常ライトモードと判断したら、ステップ１０で挿入されている光ディスクをＤＶＤ＋ＲＷディスクと認識し、ステップ１１で使用者又はホストコンピュータへＤＶＤ＋ＲＷディスクのデータ記録形式のディスクであることを示す表示又は指示を出力して報告し、ステップ１２でＤＶＤ＋ＲＷディスクにそのままＤＶＤ＋ＲＷディスクのデータ記録形式（例えば、シーケンシャルライト方式，ランダムライト方式）でデータとＤＶＤ＋ＲＷディスクの上述した管理情報とを記録し、このデータ記録処理を終了する。
【００３７】
一方、ステップ４の判断でＤＶＤ＋Ｒディスクと判断したら、図１４のステップ１３で予め選択されたモードがダミーモードか通常ライトモードかを判断し、ダミーモードなら、ステップ１４で挿入されている光ディスクをＤＶＤ＋ＲＷディスクとみなして認識し、ステップ１５で使用者又はホストコンピュータへＤＶＤ＋ＲＷディスクのデータ記録形式のディスクであることを示す表示又は指示を出力して報告し、ステップ１６でＤＶＤ＋ＲディスクにＤＶＤ＋ＲＷディスクのデータ記録形式（例えば、シーケンシャルライト方式，ランダムライト方式）でデータとＤＶＤ＋ＲＷディスクの上述した管理情報とを記録し、このデータ記録処理を終了する。
【００３８】
また、ステップ１３で通常ライトモードと判断したら、ステップ１７で挿入されている光ディスクをＤＶＤ＋Ｒディスクと認識し、ステップ１８で使用者又はホストコンピュータへＤＶＤ＋Ｒディスクのデータ記録形式のディスクであることを示す表示又は指示を出力して報告し、ステップ１９でＤＶＤ＋ＲディスクにそのままＤＶＤ＋Ｒディスクのデータ記録形式（例えば、シーケンシャルライト方式，マルチセッションライト方式）でデータとＤＶＤ＋Ｒディスクの上述した管理情報とを記録し、このデータ記録処理を終了する。
なお、ライターアプリケーションでデータを記録する場合、ＤＶＤ＋ＲディスクではデータのファイルフォーマットをシーケンシャルＵＤＦに、ＤＶＤ＋ＲＷディスクではランダムＵＤＦを使用するようにすることもできる。
【００３９】
このようにして、このＤＶＤ＋Ｒ／＋ＲＷドライブシステムは、ＤＶＤ＋ＲＷディスクにＤＶＤ＋Ｒディスクのデータ記録形式でデータ及び管理情報を記録することができ、ＤＶＤ＋Ｒディスクのデータ記録形式を研究，開発している場合にデバック用として使用することが可能になる。また、記録に失敗したり意図したものと異なるデータ記録形式で記録された場合でも、ＤＶＤ＋ＲＷディスクはリライタブル型なので記録データの消去が可能であり、媒体を再利用することが可能になり、媒体の浪費を減らすことができる。
【００４０】
また、使用者がＤＶＤ＋Ｒ／＋ＲＷドライブに挿入されている光ディスクがＤＶＤ＋ＲディスクとＤＶＤ＋ＲＷディスクのいずれのデータ記録形式でデータが記録されているのかを容易に判断することもできる。また、ホストコンピュータ側のアプリケーションプログラムもＤＶＤ＋Ｒ／＋ＲＷドライブに挿入されている光ディスクがＤＶＤ＋ＲディスクとＤＶＤ＋ＲＷディスクのいずれのデータ記録形式でデータが記録されているのかを正しく識別することができ、ＤＶＤ＋ＲＷディスクにＤＶＤ＋Ｒディスクのデータ記録形式で正しくデータを記録することができる。
【００４１】
さらに、ＤＶＤ＋Ｒ／＋ＲＷドライブ又はホストコンピュータ側で、光ディスクに対して本来記録すべきデータ記録形式でデータ記録するのか、異なるデータ記録形式で記録するのかを容易に設定変更することができる。例えば、ＤＶＤ＋ＲＷディスクにＤＶＤ＋Ｒディスクのデータ記録形式でデータ及び管理情報を記録するか、そのままＤＶＤ＋ＲＷディスクのデータ記録形式でデータ及び管理情報を記録するかを使用者が容易に選択して指定することができる。したがって、光ディスクに使用者が望んだデータ記録形式でデータを記録することができる。
また、外部インタフェースを通じて使用者が簡単にホストコンピュータ上からその設定変更が可能である。さらにまた、上記のような設定変更の情報を不揮発性メモリに保持するので、電源を切ってもその情報は保持され、光ディスへの使用者のデータ記録時の使い勝手を向上させることができる。
【００４２】
【発明の効果】
以上説明してきたように、この発明の情報記録装置と情報記録方法と情報記録システムによれば、予め規格によって規定されているデータ記録形式でデータを記録する情報記録媒体に他のデータ記録形式でデータを再生可能に記録することができる。また、この発明のプログラムと記録媒体とによれば、コンピュータにこの発明に係るデータ記録機能を容易に実現させることができる。
【図面の簡単な説明】
【図１】この発明の一実施形態であるＤＶＤ＋Ｒ／＋ＲＷドライブシステムの構成を示すブロック図である。
【図２】一度だけ書き込みが可能な情報記録媒体であるＤＶＤ＋Ｒディスクのセッションディスクコントロールブロックのフォーマットを示す説明図である。
【図３】図２に示したセッションアイテム内のフラグメントアイテムのフォーマットを示す説明図である。
【図４】図２に示したセッションアイテム内のプレビィアスセッションアイテムのフォーマットを示す説明図である。
【図５】書き換え可能な情報記録媒体であるＤＶＤ＋ＲＷディスクのフォーマッティングディスクコントロールブロックのフォーマットを示す説明図である。
【図６】一度だけ書き込みが可能な情報記録媒体であるＤＶＤ＋Ｒディスクの他のフォーマット例を示す説明図である。
【図７】図６に示したリードイン領域内のコントロールデータゾーンのフォーマットを示す説明図である。
【図８】図７の続きのフォーマットを示す説明図である。
【図９】図８の続きのフォーマットを示す説明図である。
【図１０】書き換え可能な情報記録媒体であるＤＶＤ＋ＲＷディスクの他のフォーマット例を示す説明図である。
【図１１】図１０に示したリードイン領域内のコントロールデータゾーンのフォーマットを示す説明図である。
【図１２】図１１の続きのフォーマットを示す説明図である。
【図１３】図１に示したＤＶＤ＋Ｒ／＋ＲＷドライブシステムにおける光ディスクへのデータ記録処理を示すフローチャート図である。
【図１４】図１３に示した続きの処理を示すフローチャート図である。
【符号の説明】
１：光ディスク　　　　　　　２：モータ
３：回転制御系部　　　　　　４：光ピックアップ
５：光ピックアップ制御系部　６：粗動モータ
７：粗動モータ制御系部　　　８：信号処理制御系部
９：バッファメモリ　　　　　１０：不揮発性メモリ
１１：コントローラ　　　　　１２：外部インタフェース
１３：ホストコンピュータ
【図１】
2004022069.tif 000003
【図２】
2004022069.tif 000004
【図３】
2004022069.tif 000005
【図４】
2004022069.tif 000006
【図５】
2004022069.tif 000007
【図６】
2004022069.tif 000008
【図７】
2004022069.tif 000009
【図８】
2004022069.tif 000010
【図９】
2004022069.tif 000011
【図１０】
2004022069.tif 000012
【図１１】
2004022069.tif 000013
【図１２】
2004022069.tif 000014
【図１３】
2004022069.tif 000015
【図１４】
2004022069.tif 000016